(57)【特許請求の範囲】
【請求項１】
スピーカが取り付けられるスピーカボックスと、
上記スピーカの取付面を覆うネットと、
上記ネットを取り付けるため上記スピーカの取付面に装着される枠体と、を備え、
上記枠体の裏面に固定用のリブを設けると共に上記スピーカの取付面に上記リブが圧入される溝部を設け、
上記ネットの端部が上記リブと上記溝部とで挟持されることによって、上記ネットが取り付けられるスピーカ装置であって、
上記スピーカの取付面の隅に穿設された固定用の孔と、
上記枠体の裏面に設けられ上記固定用の孔に圧入されるピンとを備えた
ことを特徴とするスピーカ装置。
【発明の詳細な説明】
【０００１】
【発明の属する技術分野】
本発明はスピーカ装置に関する。詳しくは、ネットを取り付けるための枠体の裏面にリブを設けると共にスピーカの取付面にこのリブが圧入される溝部を設け、ネットの端部がリブと溝部とで挟持することによって、簡単にネットを取り付けられるようにしたものである。
【０００２】
【従来の技術】
従来、一般的なスピーカ装置では図７に示すようにスピーカボックス３の前面に取り付けられている単一または複数のスピーカ（この例では単一のスピーカ２）を保護するためのネットパネル９が装着されているのが普通である。このネットパネル９はスピーカ２の取付面に対応した略矩形の枠体５に薄い布状のネット４を貼り付けたものである。
【０００３】
スピーカ２の取付面の４隅には孔７が設けられ、ここに枠体５の下側４隅に突設されたピン６が圧入されて、ネットパネル９が取り付けられている。このネットパネル９はスピーカ２に塵埃などが付着するのを防ぐと共に、スピーカ装置１に意匠的効果をもたせている。
【０００４】
【発明が解決しようとする課題】
ところで、従来のスピーカ装置に取り付けられるネットパネル９は図８に示すようにネット４を枠体５に覆いかぶせ、その縁部を枠体５の下端部に折り込んだ状態で貼付部１３ａが熱溶着や接着剤などによって貼り付けられている。
【０００５】
このため、ネット４を枠体５に貼り付ける工程が必要となり、組立作業が手間のかかるものとなっていた。また、ネット４の貼り付けに接着剤を使用する場合には接着剤が完全に乾くまで待たなければならず、作業時間が長くなる。従って、作業効率が悪く、生産コストの増大につながるという問題があった。
【０００６】
そこで、本発明は、上述した問題を解決したものであって、ネットの貼り付け作業をなくして、簡単な作業でネットをスピーカ装置に取り付けることができるスピーカ装置を提案するものである。
【０００７】
【課題を解決するための手段】
上述の課題を解決するため、スピーカが取り付けられるスピーカボックスと、
スピーカの取付面を覆うネットと、
ネットを取り付けるためスピーカの取付面に装着される枠体と、を備え、
枠体の裏面に固定用のリブを設けると共にスピーカの取付面にリブが圧入される溝部を設け、
ネットの端部がリブと溝部とで挟持されることによって、ネットが取り付けられるスピーカ装置であって、
スピーカの取付面の隅に穿設された固定用の孔と、
枠体の裏面に設けられ固定用の孔に圧入されるピンとを備えたことを特徴とするものである。
【０００８】
このスピーカ装置を組み立てるときは、ネットをスピーカの取付面に載置して、その上から枠体を装着する。このとき枠体のリブが溝部に圧入され、ネットの縁部が溝部に押し込まれて挟持される。また、ネットは外側方向に引っ張られるので全体として張りが与えられる。そして、枠体のピンが固定用の孔に圧入されて、枠体が装着固定される。
【０００９】
【発明の実施の形態】
続いて、本発明に係るスピーカ装置の第１の実施の形態について、図面を参照して詳細に説明する。
【００１０】
図１にこの発明に係るスピーカ装置１０の構成を示す。スピーカ装置１０はスピーカボックス１１と、スピーカ１４ａ，１４ｂを保護するためのネット１３と、このネット１３を挟んで固定するための枠体１２とから構成されている。
【００１１】
スピーカボックス１１は略直方体の箱体であり、図２に示すようにその前面（スピーカ取付面）１５には略矩形の突出面２２が形成され、その略中央に２個のスピーカ取付孔２１ａ，２１ｂが設けられる。このスピーカ取付孔２１ａ，２１ｂには内側から大小２個のスピーカ１４ａ，１４ｂが取付固定される。突出面２２の周囲には壁状のリブ１７が設けられており、図３に示すように突出面２２とリブ１７との間は枠体１２が係合する一定幅の溝部１６となっている。
【００１２】
図２に示すようにスピーカ取付面１５の４隅には枠体１２（図１）のピン（図示しない）が圧入される固定用の孔１９が４個穿設される。また、スピーカ取付面１５であって突出面２２の範囲外に音響効果を高めるためのダクト２０，２０が２個穿設されている。
【００１３】
枠体１２は図１に示すように溝部１６に係合するようにその内周側に圧入リブ１２ａが突出して設けられ、断面Ｕ字状の枠体の一部をなしている。圧入リブ１２ａは溝部１６に圧入されるため、その幅は溝部１６の幅に略一致するように設定される。また、枠体１２は、その裏面４隅に孔１９（図３）に圧入されるピン（図示しない）が設けられると共に、ダクト２０，２０（図１）に対応するダクト孔２３，２３が穿設されている。
【００１４】
ネット１３はその縁部がリブ１７の外側縁端部より僅かにはみ出すようにやや大きめのものが使用される。ネット１３の端部はリブ１７と枠体１２との係合によって挟持されている。
【００１５】
以上のように構成されたスピーカ装置の組立手順について説明する。まず、図４および図５に示すようにネット１３をスピーカ取付面１５に載置する。このときネット１３の縁部がリブ１７にかかるようにする。
【００１６】
次に、図６に示すように枠体１２をスピーカ取付面１５に装着する。このとき、圧入リブ１２ａが溝部１６に圧入され、ネット１３の縁部が溝部１６に押し込まれる。これによってネット１３は外側方向に引っ張られ、全体として張りが与えられた状態で圧入リブ１２ａと溝部１６との係合によって挟持される。そして、枠体１２のピン（図示しない）が孔１９（図１）に圧入されて、枠体１２が装着固定される。
【００１７】
このようにネット１３を載置し、その上から枠体１２を装着するだけで、ネット１３をスピーカボックス１１に取り付けることができる。したがって、図７に示す従来のスピーカ装置のようにネット４を枠体５に貼り付ける必要がないので、簡単な作業で組み立てることができる。
【００１８】
なお、この実施の形態では２個のスピーカ１４ａ，１４ｂが取り付けられていたが、これに限定されず単数又は３個以上であってもよい。また、枠体１２をスピーカボックス１１に圧入し、接着等の手段により固定してもよい。
【００１９】
【発明の効果】
以上説明したように本発明では、枠体をスピーカボックスに装着するだけでネットを取り付けることができるようにしたものである。
【００２０】
これによれば、接着剤や熱溶着等によりネットを枠体に貼り付ける作業が不要になる。したがって、スピーカ装置を短時間で組み立てることができるので作業効率が上がり、生産コストを低減できる。また、枠体をスピーカボックスに圧入のみで取り付けるようにした場合には、ネットが何らかの原因で破れた場合でも枠体を外してネットのみの交換が可能であるから、簡単な作業で安価に修理を行うことができる等の効果がある。
【図面の簡単な説明】
【図１】本発明の実施の形態であるスピーカ装置１０の斜視図である。
【図２】スピーカボックス１１の斜視図である。
【図３】リブ１７周辺の拡大図である。
【図４】スピーカボックス１１上にネット１３が載置された場合の斜視図である。
【図５】ネット１３を載置した状態の断面図である。
【図６】枠体１２を装着した状態の断面図である。
【図７】従来のスピーカ装置１の一例を示す斜視図である。
【図８】枠体５の断面図である。
【符号の説明】
１，１０  スピーカ装置
２，１４ａ，１４ｂ  スピーカ
３，１１  スピーカボックス
４，１３  ネット
５，１２  枠体
１２ａ  圧入リブ
１６  溝部
１７  リブ
２２  突出面
【図１】
0003562147.tif 000002
【図２】
0003562147.tif 000003
【図３】
0003562147.tif 000004
【図４】
0003562147.tif 000005
【図５】
0003562147.tif 000006
【図６】
0003562147.tif 000007
【図７】
0003562147.tif 000008
【図８】
0003562147.tif 000009